(57)【要約】【課題】廃液処理槽のトラフに付着した藻除去にかかる人的作業の必要がない廃液処理槽の実現。【解決手段】底部１１と、当該底部の周縁部から円周状に立設された側壁部１２とを有し、廃液Ｗ中の固体を沈殿させる廃液処理槽であって、槽中央部に設けられ、前記廃液を槽内に導入する廃液導入部１３ｂと、前記側壁部の上端縁に連続して形成され、前記廃液の上層部分の浮遊物をトラップする鋸歯状のトラフ部１４と、前記側壁部の外方に立設され、前記側壁部との間に前記トラフ部を介して越流する廃液が流入する廃液受部を形成する外郭壁部１５と、前記側壁部のトラフ部に当接するブラシ部１６ａを有し、当該トラフ部に沿って移動することにより当該トラフ部に付着した前記浮遊物を除去するブラシユニット１６と、を備える。【選択図】図１
2008246427.tif 000002
【特許請求の範囲】
【請求項１】
底部と、当該底部の周縁部から円周状に立設された側壁部とを有し、廃液中の固体を沈殿させる廃液処理槽であって、
槽中央部に設けられ、前記廃液を槽内に導入する廃液導入部と、
前記側壁部の上端縁に連続して形成され、前記廃液の上層部分の浮遊物をトラップする鋸歯状のトラフ部と、
前記側壁部の外方に立設され、前記側壁部との間に前記トラフ部を介して越流する廃液が流入する廃液受部を形成する外郭壁部と、
前記側壁部のトラフ部に当接するブラシ部を有し、当該トラフ部に沿って移動することにより当該トラフ部に付着した前記浮遊物を除去するブラシユニットと、を備えることを特徴とする廃液処理槽。
【請求項２】
前記ブラシユニットを、前記トラフ部に沿って予め決められた範囲を往復動作させるブラシ可動ユニットを更にえ、
前記ブラシ可動ユニットは、
前記ブラシユニットを前記トラフ部に沿って案内するレール部と、
前記ブラシユニットが取り付けられると共に、前記レール部に沿って移動する可動部と、
前記可動部に駆動力を付与して往復動作させるブラシ駆動部と、を備えることを特徴とする請求項１に記載の廃液処理槽。
【請求項３】
前記ブラシユニットは、前記可動部に対して複数配置され、
前記可動部及び前記ブラシ可動ユニットは、前記トラフ部の全周を複数に分割したそれぞれの領域に設けられることを特徴とする請求項２に記載の廃液処理槽。
【請求項４】
前記ブラシユニットの駆動頻度及び稼動時間を設定する操作部と、
設定された駆動頻度及び稼動時間に基づき前記ブラシ駆動部を制御する制御部と、を更に備えることを特徴とする請求項３に記載の廃液処理槽。
【発明の詳細な説明】
【技術分野】
【０００１】
本発明は、例えば、ビール工場での廃液処理の際に、廃液を貯留して不要物を沈殿させると共に、廃液を上方部分から越流させてその上層部分の浮遊物を分離する廃液処理槽に関する。
【背景技術】
【０００２】
例えば、特許文献１にはプールや水槽を自動清掃する単体移動式の清掃装置が記載されている。特許文献２には取水設備において浮遊式流動球により配管を洗浄する仕組みが記載されている。特許文献３には海水取水設備におけるゴミ除去装置が記載されている。
【特許文献１】特開２０００−１０７７１８号公報
【特許文献２】特開２０００−０００５３７号公報
【特許文献３】特開２００４−２３２３７９号公報
【発明の開示】
【発明が解決しようとする課題】
【０００３】
一般に、ビール工場等で廃液処理を行う廃液処理槽は、廃液を貯留して不要物を沈殿させると共に、側壁部の上端縁を鋸歯状（トラフ）に形成して廃液がトラフから越流し易くしているが、トラフ部分に藻等が付着することにより当該トラフ部分が塞がって越流が阻害され、浮遊汚泥が槽内に滞留する原因となっている。また、廃液処理槽は、屋上等の外部に設置されている場合が多いため、藻の発生自体を抑えることは難しく、従来は人手により藻の除去を行っていた。特に、夏季は２日に一度２時間程度の除去作業が必要であり、大きな負担となっていた。
【０００４】
また、特許文献１の清掃装置は、側壁や底面の自動清掃が可能であるが、側壁が平面であればともかく凹凸やトラフ、内部配管等がある場合には清掃装置の移動可否や清掃効果が発揮できるか疑問である。また、トラフ部分の藻除去だけを目的とした場合、装置が無用に大型となってしまう。
【０００５】
また、特許文献２では、流動球が水流に沿って流れるだけなので、内壁に付着した藻等を除去する効果は低い。また、特許文献３では、浮遊物の除去効果のみで壁部に付着した汚れを除去する効果はない。
【０００６】
本発明は、上記課題に鑑みてなされ、その目的は、廃液処理槽のトラフ部分に付着した藻除去にかかる人的作業の必要がなくなり、季節によって変化する藻の発生速度に合わせて駆動頻度及び稼動時間を設定できる廃液処理槽を実現することである。
【課題を解決するための手段】
【０００７】
上述の課題を解決し、目的を達成するため、本発明に係る廃液処理槽１０は、底部１１と、当該底部の周縁部から円周状に立設された側壁部１２とを有し、廃液Ｗ中の固体を沈殿させる廃液処理槽であって、槽中央部に設けられ、前記廃液を槽内に導入する廃液導入部１３ｂと、前記側壁部の上端縁に連続して形成され、前記廃液の上層部分の浮遊物をトラップする鋸歯状のトラフ部１４と、前記側壁部の外方に立設され、前記側壁部との間に前記トラフ部を介して越流する廃液が流入する廃液受部を形成する外郭壁部１５と、前記側壁部のトラフ部に当接するブラシ部１６ａを有し、当該トラフ部に沿って移動することにより当該トラフ部に付着した前記浮遊物を除去するブラシユニット１６と、を備える。
【０００８】
また、好ましくは、前記ブラシユニットを、前記トラフ部に沿って予め決められた範囲を往復動作させるブラシ可動ユニット１７を更に備え、前記ブラシ可動ユニットは、前記ブラシユニットを前記トラフ部に沿って案内するレール部２３と、前記ブラシユニットが取り付けられると共に、前記レール部に沿って移動する可動部２１，２２と、前記可動部に駆動力を付与して往復動作させるブラシ駆動部２５と、を備える。
【０００９】
また、好ましくは、前記ブラシユニットは、前記可動部に対して複数配置され、前記可動部及び前記ブラシ可動ユニットは、前記トラフ部の全周を複数に分割したそれぞれの領域に設けられる。
【００１０】
また、好ましくは、前記ブラシユニットの駆動頻度及び稼動時間を設定する操作部と、設定された駆動頻度及び稼動時間に基づき前記ブラシ駆動部を制御する制御部と、を更に備える。
【発明の効果】
【００１１】
本発明によれば、廃液処理槽のトラフに付着した藻除去にかかる人的作業の必要がなくなり、季節によって変化する藻の発生速度に合わせて駆動稼動及び稼動時間を設定できる廃液処理槽を実現できる。
【発明を実施するための最良の形態】
【００１２】
以下に、本発明の実施の形態について、添付図面を参照して詳細に説明する。
尚、以下に説明する実施の形態は、本発明の実現手段としての一例であり、本発明は、その趣旨を逸脱しない範囲で下記実施形態を修正又は変形したものに適用可能である。
【００１３】
図１は、本発明に係る実施形態の廃液処理槽全体の平面図（ａ）及びブラシ駆動部の平面図（ｂ）である。図２は、図１（ｂ）のｉ方向の側面図（ａ）及びｉｉ方向の側面図（ｂ）である。図３は、本実施形態のブラシユニットの正面図（ａ）及び側面図（ｂ）である。図４は、本実施形態のレール部の正面図（ａ）及び側面図（ｂ）である。図５はブラシユニットの外観図である。
【００１４】
本実施形態の廃液処理槽は、ビール工場等での廃液処理の際に、廃液を貯留して廃液中の固体を沈殿させると共に、廃液の上層部分の浮遊物をトラフにより除去しつつ越流させて分離する。
【００１５】
図１乃至図５に示すように、本実施形態の廃液処理槽１０は、底部１１と、当該底部１１の周縁部から円周状に立設された側壁部１２とにより槽全体の外形が規定される。また、廃液処理槽１０は、底部１１に放射状に配設された排水管１３ａを通って外部から導入される廃液Ｗを底部１１の略中央部から槽内に流入させる廃液導入部１３ｂと、側壁部１２の上端縁に連続して形成され、廃液の上層部分の藻等の浮遊物を槽外部へ流出しないようにトラップする鋸歯状のトラフ部１４（図５参照）とを有する。更に、側壁部１２の外方には、当該側壁部１２の形状に沿うように円周状の外郭壁部１５が立設されており、側壁部１２と外郭壁部１５との間に、トラフ部１４を介して越流する廃液Ｗを受ける廃液受部が形成されている。
【００１６】
また、側壁部１２には、トラフ部１４の内外両面に当接するブラシ部１６ａを有するブラシユニット１６とブラシユニット１６を往復動作させるブラシ可動ユニット１７が設けられている。ブラシ可動ユニット１７は、ブラシユニット１６をトラフ部１４に沿って所定範囲（例えば、中心角として１５°〜２０°）を往復動作させることにより当該トラフ部１４に付着した浮遊物を除去する。尚、本実施形態の廃液処理槽は、廃液量に応じて複数配置される場合もある。
【００１７】
上記ブラシユニット１６は、刷毛状の一対のブラシ部１６ａと、トラフ部１４を挟むように対向配置された一対のブラシ部１６ａを交換可能に着脱自在に保持する逆Ｕ字状のブラシ保持部１６ｂとを有する。
【００１８】
ブラシ可動ユニット１７は、トラフ部１４に沿って側壁部の上方に配設された一対のパイプ部２１と、当該パイプ部２１に固定されると共にブラシ保持部１６ｂが取り付けられるブラシ取付部２２と、パイプ部２１及びブラシ取付部２２をトラフ部１４に沿って移動するように案内するレール部２３及びローラ２４と、可動部としてのパイプ部２１及びブラシ取付部２２をレール部２３に沿って往復動作させるブラシ駆動部２５と、を有する。レール部２３は、固定プレート２３ａによりトラフ部１４に固定されている。ローラ２４は、パイプ部２１を挟持するように固定された一対のプレート部材２４ａに軸支されている。
【００１９】
更に、ブラシ可動ユニット１７は、不図示であるが、パイプ部２１及びブラシ取付部２２の駆動頻度及び稼動時間を設定する操作部と、設定された駆動頻度及び稼動時間に基づきブラシ駆動部２５を制御する制御部と、を備える。
【００２０】
ブラシ駆動部２５は、モータ２６と、モータ２６を駆動源とする１つの駆動スプロケット２６ａ及び一対の従動スプロケット２６ｂと、を有し、駆動スプロケット２６ａ及び従動スプロケット２６ｂに巻回されたチェーン２７を介してパイプ部２１及びブラシ取付部２２に駆動力を付与して往復動作させる。チェーン２７は、パイプ部２１に沿って取り付けられ、パイプ部２１は中心角で４５°程度の円周と同等の長さを有する。そして、パイプ部２１は、側壁部１２のトラフ部１４の円弧状の全周を複数（例えば、２つ）に分割したそれぞれの領域に設けられる（つまり、２組）。パイプ部２１には、１組につきブラシユニット１６が２〜４個程度取り付けられ、２組のパイプ部２１でトラフ部１４の全周をカバーしている。
【００２１】
また、ブラシ駆動部２５は、外郭壁部１５の外側面に固定されたステー２８に支持されたプレート２９に固定されている。
【００２２】
そして、パイプ部２１の端部２１ａがレール部２３に配設したスイッチ２１ｂを往路及び復路で夫々オン・オフさせることにより所定範囲内でパイプ部２１及びブラシ取付部２２を往復動作させる。尚、本実施形態では、モータを固定したチェーン駆動によりパイプ部２１及びブラシ取付部２２を往復動作させる構成を説明したが、小型軽量モータ等を利用してブラシ取付部２２とブラシ駆動部２５とを一体的に構成してレール部２３を一方向に移動させる形態としても良い。
【００２３】
上記構成によれば、季節や工場の稼動状況等に応じてブラシユニット１６を所定時間毎に稼動させることで、廃液処理槽１０のトラフ１４に付着した藻除去にかかる人的作業の必要がなくなり、季節によって変化する藻の発生速度に合わせて駆動頻度及び稼動時間を設定できる。
【図面の簡単な説明】
【００２４】
【図１】本発明に係る実施形態の廃液処理槽全体の平面図（ａ）及びブラシ駆動部の平面図（ｂ）である。
【図２】図１（ｂ）のｉ方向の側面図（ａ）及びｉｉ方向の側面図（ｂ）である。
【図３】本実施形態のブラシユニットの正面図（ａ）及び側面図（ｂ）である。
【図４】本実施形態のレール部の正面図（ａ）及び側面図（ｂ）である。
【図５】ブラシユニットの外観図である。
【符号の説明】
【００２５】
１０  廃液処理槽
１１  底部
１２  側壁部
１３ａ  排水管
１３ｂ  廃液導入部
１４  トラフ部
１５  外郭壁部
１６  ブラシユニット
１６ａ  ブラシ部
１６ｂ  ブラシ保持部
１７  ブラシ可動ユニット
２１  パイプ部
２２  ブラシ取付部
２３  レール部
２４  ローラ
２５  ブラシ駆動部
２６  モータ
２６ａ，２６ｂ  スプロケット
２７  チェーン
２８  ステー
２９  プレート
Ｗ  廃液
【図１】
2008246427.tif 000003
【図２】
2008246427.tif 000004
【図３】
2008246427.tif 000005
【図４】
2008246427.tif 000006
【図５】
2008246427.tif 000007